(57)【要約】【課題】  テストプラグの活線側接続部位は勿論のこと、必要に応じて非活線側接続部位も覆うことが可能なテストプラグ用絶縁カバーを提供する。【解決手段】  第２ストッパ５８を上方に回動させて第２ストッパ５８による位置規制が解除されている状態で、第１ストッパ６０により絶縁カバー５１を第１の位置に規制して活線側接続部位だけが絶縁カバー５１に覆われる状態にし、第２ストッパ５８を戻して絶縁カバー５１を第２の位置に規制して活線側接続部位及び非活線側接続部位が絶縁カバー５１に覆われる状態にし、テストプラグの活線側接続部位は勿論のこと、必要に応じて非活線側接続部位も覆うことが可能なテストプラグ用絶縁カバーとする。【選択図】      図３
2006054975.tif 000002
【特許請求の範囲】
【請求項１】
電源側端子に接続される電源側導体及び負荷側端子に接続される負荷側導体を有し、電源側導体と負荷側導体とが常時には接続された端子部材を備えた配電盤に用いられるテスト装置におけるテストプラグの絶縁カバーであって、
テスト装置には、
端子部材の電源側導体と負荷側導体との間に挿入されることで電源側導体と負荷側導体とを電気的に非接続状態にするテストプラグが備えられ、
テストプラグには、
電源側導体と負荷側導体との間に挿入された際に、電源側導体に接続される活線側導体が備えられると共に、
電源側導体と負荷側導体との間に挿入された際に、負荷側導体に接続される非活線側導体が備えられ、
活線側導体には外部回路に接続される活線側接続部位が設けられると共に非活線側導体には外部回路に接続される非活線側接続部位がそれぞれ設けられ、
絶縁カバーは、
テストプラグの外方側に挿入保持される絶縁材料の筐体からなり
筐体がテストプラグに挿入された際に活線側接続部位もしくは非活線側接続部位のいずれか一方だけが筐体に覆われる状態である第１の位置に筐体の位置を規制する第１規制部材が備えられ、
筐体がテストプラグに挿入された際に活線側接続部位及び非活線側接続部位が筐体に覆われる状態であり第１の位置よりも挿入方向手前側の第２の位置に筐体の位置を規制する第２規制部材が備えられ、
第１の位置に筐体が規制されるときには第２規制部材による位置規制が解除されている
ことを特徴とするテストプラグ用絶縁カバー。
【請求項２】
請求項１において、筐体には、テストプラグに挿入された際の位置を保持する位置保持部材が設けられていることを特徴とするテストプラグ用絶縁カバー。
【請求項３】
請求項２において、位置保持部材は、筐体の一部が弾性変形自在に形成され、テストプラグに当接して筐体の一部を弾性変形させる突起が筐体の一部の内側に設けられていることを特徴とするテストプラグ用絶縁カバー。
【請求項４】
請求項１〜３において、
第２規制部材は、ストッパ部材が回動自在に支持されていることを特徴とするテストプラグ用絶縁カバー。
【請求項５】
請求項１〜３において、
第１規制部材及び第２規制部材は一つの規制部材が回動自在に支持されて構成され、第１の回動位置で筐体を第１の位置に規制すると共に、第２の回動位置で筐体を第２の位置に規制することを特徴とするテストプラグ用絶縁カバー。
【請求項６】
請求項５において、
規制部材は、第１もしくは第２の回動位置に付勢支持され、規制部材を付勢力に抗して第２もしくは第１の回動位置に回動させる回動手段が設けられていることを特徴とするテストプラグ用絶縁カバー。
【請求項７】
請求項１〜３において、
第２規制部材は、ストッパ部材が一方向に往復移動自在に支持されていることを特徴とするテストプラグ用絶縁カバー。
【請求項８】
請求項１〜３において、
第２規制部材は、ピン部材が抜き差し自在に備えられていることを特徴とするテストプラグ用絶縁カバー。
【請求項９】
請求項１〜３において、
第２規制部材は自重により筐体の内部に突出移動して筐体を第２の位置に規制すると共に、筐体の上下を逆にすることで自重により筐体の外部に移動して筐体を第１の位置に移動可能にすることを特徴とするテストプラグ用絶縁カバー。
【請求項１０】
請求項１〜９において、
筐体の下部にはリード線を筐体内部に案内するリード線挿入部が形成されると共に、筐体の上部には検電用部材が挿入される検電穴が形成されていることを特徴とするテストプラグ用絶縁カバー。
【請求項１１】
電源側端子に接続される電源側導体及び負荷側端子に接続される負荷側導体を有し、電源側導体と負荷側導体とが常時には接続された端子部材を備えた配電盤に用いられるテスト装置におけるテストプラグの絶縁カバーであって、
テスト装置には、
端子部材の電源側導体と負荷側導体との間に挿入されることで電源側導体と負荷側導体とを電気的に非接続状態にするテストプラグが備えられ、
テストプラグには、
電源側導体と負荷側導体との間に挿入された際に、電源側導体に接続される活線側導体が備えられると共に、
電源側導体と負荷側導体との間に挿入された際に、負荷側導体に接続される非活線側導体が備えられ、
活線側導体には外部回路に接続される活線側接続部位が設けられと非活線側導体には外部回路に接続される非活線側接続部位がそれぞれ設けられ、
絶縁カバーは、
テストプラグの外方側に挿入された際に活線側接続部位もしくは非活線側接続部位のいずれか一方だけを覆う内側筐体と、
内側筐体の外方側に挿入された際に内側筐体で覆われていない非活線側接続部位もしくは活線側接続部位を覆う外側筐体と
で構成されたことを特徴とするテストプラグ用絶縁カバー。
【発明の詳細な説明】
【技術分野】
【０００１】
本発明は、配電盤などに設けられているテスト端子に嵌合させるテストプラグの絶縁を行うテストプラグ用絶縁カバーに関する。
【背景技術】
【０００２】
例えば、配電盤には電源側装置の電源側導体と、計器類等の負荷側装置の負荷側導体とを備えたテスト端子が設けられている。通常時、電源側導体と負荷側導体とは電気的に接続された状態にあり、電源側導体からの電力により負荷側装置が作動している。負荷側装置の試験等を行う場合、テスト端子にテストプラグのプラグ部を挿入嵌合して電源側導体と負荷側導体とを電気的に非接触状態にし、電源側装置の拘束を受けない状態で負荷側装置に電力を供給する。
【０００３】
テストプラグのプラグ部には、電源側導体に接続される活線側嵌合部（活線側導体）と、負荷側導体に接続される非活線側嵌合部（非活線側導体）とが備えられている。テストプラグの端子部には、活線側嵌合部につながる活線側接続部位と、非活線側嵌合部につながる非活線側接続部位とが設けられ、負荷側装置の試験等を行う場合、端子部の非活線側接続部位から電力を供給して負荷側装置を作動させ、活線側接続部位にはビニールテープや絶縁シートによって絶縁処理を施している。
【０００４】
ビニールテープや絶縁テープを使用して絶縁処理を施した場合、ビニールテープや絶縁テープは再利用することができず、コストがかかり、資源の枯渇にもつながる。このため、ビニールテープや絶縁テープに代えて絶縁材料製の絶縁カバーを用いて活線側接続部位（導電側）を絶縁することが行われている（例えば、特許文献１参照）。
【０００５】
絶縁カバーを用いることにより、ビニールテープや絶縁テープ等の資源の無駄をなくすことができる。絶縁カバーは、活線側接続部位（導電側）を絶縁するために、非活線側接続部位を除いたその他の端子部を覆う形状になっているので、非活線側接続部位は露出した状態になっている。作業が短時間で終了する場合には作業者の注意力が行き届いて非活線側接続部位に誤って触れる等の問題は生じないものの、作業が長時間に及ぶ場合には非活線側接続部位に作業者等が触れないように注意する必要がある。しかし、従来の絶縁カバーは非活線側接続部位が露出した状態になるので、このような要望には応えることができないのが現状であった。
【０００６】
また、絶縁カバーによって非活線側接続部位にリード線等を接続しにくい問題が生じることがあり、複数の端子部を有しているテストプラグで、一つの端子部だけを絶縁することが困難であった。また、テスタ等により外部から活線側接続部位の電圧を検出しながらの作業ができないのが現状であった。
【０００７】
【特許文献１】実用新案登録第３０８１８４５号公報
【発明の開示】
【発明が解決しようとする課題】
【０００８】
本発明は上述した事情に鑑み、テストプラグの活線側接続部位（または、非活線側接続部位）は勿論のこと、必要に応じて非活線側接続部位（または、活線側接続部位）も覆うことが可能なテストプラグ用絶縁カバーを提供することを目的とする。
【課題を解決するための手段】
【０００９】
上記課題を解決する本発明の第１の態様は、電源側端子に接続される電源側導体及び負荷側端子に接続される負荷側導体を有し、電源側導体と負荷側導体とが常時には接続された端子部材を備えた配電盤に用いられるテスト装置におけるテストプラグの絶縁カバーであって、テスト装置には、端子部材の電源側導体と負荷側導体との間に挿入されることで電源側導体と負荷側導体とを電気的に非接続状態にするテストプラグが備えられ、テストプラグには、電源側導体と負荷側導体との間に挿入された際に、電源側導体に接続される活線側導体が備えられると共に、電源側導体と負荷側導体との間に挿入された際に、負荷側導体に接続される非活線側導体が備えられ、活線側導体には外部回路に接続される活線側接続部位が設けられると共に非活線側導体には外部回路に接続される非活線側接続部位がそれぞれ設けられ、絶縁カバーは、テストプラグの外方側に挿入保持される絶縁材料の筐体からなり、筐体がテストプラグに挿入された際に活線側接続部位もしくは非活線側接続部位のいずれか一方だけが筐体に覆われる状態である第１の位置に筐体の位置を規制する第１規制部材が備えられ、筐体がテストプラグに挿入された際に活線側接続部位及び非活線側接続部位が筐体に覆われる状態であり第１の位置よりも挿入方向手前側の第２の位置に筐体の位置を規制する第２規制部材が備えられ、第１の位置に筐体が規制されるときには第２規制部材による位置規制が解除されていることを特徴とするテストプラグ用絶縁カバーにある。
【００１０】
かかる第１の態様では、第２規制部材による位置規制が解除されている状態で、第１規制部材により筐体を第１の位置に規制して活線側接続部位もしくは非活線側接続部位のいずれか一方だけが筐体に覆われる状態にし、第２規制部材により筐体を第２の位置に規制して活線側接続部位及び非活線側接続部位が筐体に覆われる状態にできるので、テストプラグの活線側接続部位（または、非活線側接続部位）は勿論のこと、必要に応じて非活線側接続部位（または、活線側接続部位）も覆うことが可能なテストプラグ用絶縁カバーとすることができる。
【００１１】
本発明の第２の態様は、第１の態様において、筐体には、テストプラグに挿入された際の位置を保持する位置保持部材が設けられていることを特徴とするテストプラグ用絶縁カバーにある。
【００１２】
かかる第２の態様では、位置保持部材によって筐体の位置が保持される。
【００１３】
本発明の第３の態様は、第２の態様において、位置保持部材は、筐体の一部が弾性変形自在に形成され、テストプラグに当接して筐体の一部を弾性変形させる突起が筐体の一部の内側に設けられていることを特徴とするテストプラグ用絶縁カバーにある。
【００１４】
かかる第３の態様では、筐体の一部が位置保持部材となり、別部材を設けることなく筐体の位置が保持される。
【００１５】
本発明の第４の態様は、第１〜３の何れかの態様において、第２規制部材は、ストッパ部材が回動自在に支持されていることを特徴とするテストプラグ用絶縁カバーにある。
【００１６】
かかる第４の態様では、規制状態及び規制解除状態の動作が容易に行える。
【００１７】
本発明の第５の態様は、第１〜３の何れかの態様において、第１規制部材及び第２規制部材は一つの規制部材が回動自在に支持されて構成され、第１の回動位置で筐体を第１の位置に規制すると共に、第２の回動位置で筐体を第２の位置に規制することを特徴とするテストプラグ用絶縁カバーにある。
【００１８】
かかる第５の態様では、一つの規制部材によって筐体を第１の位置と第２の位置とに規制することができ、部品点数の削減が図れる。
【００１９】
本発明の第６の態様は、第５の態様において、規制部材は、第１もしくは第２の回動位置に付勢支持され、規制部材を付勢力に抗して第２もしくは第１の回動位置に回動させる回動手段が設けられていることを特徴とするテストプラグ用絶縁カバーにある。
【００２０】
かかる第６の態様では、一つの規制部材の回動を容易に行うことができる。
【００２１】
本発明の第７の態様は、第１〜３の何れかの態様において、第２規制部材は、ストッパ部材が一方向に往復移動自在に支持されていることを特徴とするテストプラグ用絶縁カバーにある。
【００２２】
かかる第７の態様では、ストッパ部材を往復移動させることで、簡単に筐体を第１の位置と第２の位置とに規制することができる。
【００２３】
本発明の第８の態様は、第１〜３の何れかの態様において、第２規制部材は、ピン部材が抜き差し自在に備えられていることを特徴とするテストプラグ用絶縁カバーにある。
【００２４】
かかる第８の態様では、ピン部材の抜き差しによって簡単に筐体を第１の位置と第２の位置とに規制することができる。
【００２５】
本発明の第９の態様は、第１〜３の何れかの態様において、第２規制部材は自重により筐体の内部に突出移動して筐体を第２の位置に規制すると共に、筐体の上下を逆にすることで自重により筐体の外部に移動して筐体を第１の位置に移動可能にすることを特徴とするテストプラグ用絶縁カバーにある。
【００２６】
かかる第９の態様では、筐体の上下を逆にすることによって簡単に筐体を第１の位置と第２の位置とに規制することができる。
【００２７】
本発明の第１０の態様は、第１〜９の何れかの態様において、筐体の下部にはリード線を筐体内部に案内するリード線挿入部が形成されると共に、筐体の上部には検電用部材が挿入される検電穴が形成されていることを特徴とするテストプラグ用絶縁カバーにある。
【００２８】
かかる第１０の態様では、リード線挿入部によってリード線の挿入が容易となると共に、検電穴によって検電用部材の挿入が可能になる。
【００２９】
本発明の第１１の態様は、電源側端子に接続される電源側導体及び負荷側端子に接続される負荷側導体を有し、電源側導体と負荷側導体とが常時には接続された端子部材を備えた配電盤に用いられるテスト装置におけるテストプラグの絶縁カバーであって、テスト装置には、端子部材の電源側導体と負荷側導体との間に挿入されることで電源側導体と負荷側導体とを電気的に非接続状態にするテストプラグが備えられ、テストプラグには、電源側導体と負荷側導体との間に挿入された際に、電源側導体に接続される活線側導体が備えられると共に、電源側導体と負荷側導体との間に挿入された際に、負荷側導体に接続される非活線側導体が備えられ、活線側導体には外部回路に接続される活線側接続部位が設けられと非活線側導体には外部回路に接続される非活線側接続部位がそれぞれ設けられ、絶縁カバーは、テストプラグの外方側に挿入された際に活線側接続部位もしくは非活線側接続部位のいずれか一方だけを覆う内側筐体と、内側筐体の外方側に挿入された際に内側筐体で覆われていない非活線側接続部位もしくは活線側接続部位を覆う外側筐体とで構成されたことを特徴とするテストプラグ用絶縁カバーにある。
【００３０】
かかる第１１の態様では、内側筐体により筐体を第１の位置に規制して活線側接続部位もしくは非活線側接続部位のいずれか一方だけが筐体に覆われる状態にし、外側筐体により活線側接続部位及び非活線側接続部位が筐体に覆われる状態にするので、テストプラグの活線側接続部位（または、非活線側接続部位）は勿論のこと、必要に応じて非活線側接続部位（または、活線側接続部位）も覆うことが可能なテストプラグ用絶縁カバーとすることができる。
【発明の効果】
【００３１】
本発明によれば、必要に応じて非活線側接続部位（または、活線側接続部位）も覆うことが可能なテストプラグ用絶縁カバーとすることが可能になる。
【発明を実施するための最良の形態】
【００３２】
以下に本発明を実施形態に基づいて詳細に説明する。
【００３３】
図１、図２に基づいて本発明のテストプラグ用絶縁カバー（絶縁カバー）が適用されるテストプラグ及びテストプラグが装着される配電盤のテスト端子部を説明する。図１にはテストプラグが装着される前の状態の全体構成を表す断面、図２にはテストプラグが装着されている状態の全体構成を表す断面を示してある。
【００３４】
配電盤１のテスト端子１１を説明する。
【００３５】
テスト端子１１は絶縁体部材１０で構成され、計器２が接続される負荷側端子３が絶縁体部材１０に設けられると共に、電源側装置４が接続される電源側端子５が絶縁体部材１０に設けられている。絶縁体部材１０には負荷側導体６及び電源側導体７が設けられ、負荷側導体６は負荷側端子３に接続され、電源側導体７は電源側端子４に接続されている。そして、負荷側導体６と電源側導体７はテスト端子１１内で導体の弾性力により常時は当接した状態にされている。配電盤１には複数個（例えば、４個）のテスト端子１１が並列に備えられ、複数の計器２が接続されている。
【００３６】
テスト端子１１の負荷側導体６と電源側導体７の間に後述するテストプラグの挿入部２４が挿入されることで、図２に示すように、負荷側導体６と電源側導体７が弾性力に抗して非接触状態にされて計器２と電源側装置４の電気的接続が無関係となる。
【００３７】
テストプラグ２１を説明する。
【００３８】
支持体２２の前面側に複数（例えば、４個）のプラグ側端子部２３が縦横に並んだ状態で設けられ、支持体２２の後面側には各プラグ側端子部２３に対応して挿入部２４が並列に備えられている。
【００３９】
挿入部２４は、板状の絶縁部２５の上側に非活線側導体２６が設けられ、絶縁部２５の下側に活線側導体２７が設けられている。非活線側導体２６と活線側導体２７とは絶縁された状態で絶縁部２５に設けられ、これらが支持体２２に一体に支持されている。挿入部２４が負荷側導体６と電源側導体７との間に挿入されると、負荷側導体６が非活線側導体２６に接続されると共に、電源側導体７が活線側導体２７に接続される。
【００４０】
非活線側導体２６及び活線側導体２７の外部回路への接続を可能にするため、非活線側導体２６及び活線側導体２７の他端部は支持体２２の前面側に延びて設けられ、プラグ側端子部２３が構成されている。
【００４１】
非活線側導体２６の前面側は軸状の非活線側接続部位３１とされ、活線側導体２７の前面側は非活線側接続部位３１の外周囲を囲む状態の活線側接続部位３２とされ、非活線側接続部位３１が前面側に突出している。非活線側接続部位３１の先端にはナット３３が螺合され、活線側接続部位３２の外周にはナット３４が螺合され、更に、活線側導体２７の先端部位（ナット３３とナット３４の間）における非活線側接続部位３１の外周にはナット３５が螺合されている。ナット３３とナット３５の間における非活線側接続部位３１に外部回路（検査用電源）３６が接続され、ナット３４とナット３５の間における活線側導体２７に図示しない外部回路が接続される。
【００４２】
検査等を行わない場合、テストプラグ２１がテスト端子１１に嵌合されず（図１の状態）、電源側導体７と負荷側導体６とが接続されて電源側装置４からの電力により計器２が動作する。
【００４３】
検査等を実施する場合、テストプラグ２１の挿入部２４をテスト端子１１に挿入する（図２の状態）。挿入部２４をテスト端子１１に挿入することで、挿入部２４が負荷側導体６と電源側導体７との間に挿入され、負荷側導体６が非活線側導体２６に接続されると共に、電源側導体７が活線側導体２７に接続される。つまり、負荷側導体６と電源側導体７が非接触状態にされて計器２と電源側装置４の電気的接続が無関係となる。
【００４４】
この状態で、検査用電源３６をプラグ側端子部２３のナット３３とナット３５の間における非活線側接続部位３１に接続する。これにより、検査用電源３６が非活線側導体２６及び負荷側導体６を通して計器２に電気的に接続され、計器２の検査や試験等が実施される。このとき、プラグ側端子部２３の活線側導体２７が露出しているため、テストプラグ２１のプラグ側端子部２３側は非活線側導体２６の部位を除いて、本発明の絶縁カバー５１によって覆われている。絶縁カバー５１は絶縁材料製（例えば、アクリル製）の筐体で構成されている。
【００４５】
尚、テストプラグ２１のプラグ側端子部２３における非活線側導体２６と活線側導体２７との関係を逆にすることも可能である。
【００４６】
以下、本発明の絶縁カバー５１を具体的に説明する。
【００４７】
（実施形態１）
図３乃至図９に基づいて本発明の第１実施形態例にかかる絶縁カバー５１を説明する。
【００４８】
図３には本発明の第１実施形態例に係る絶縁カバーの斜視状況、図４には非活線側導体２６の部位を除いてテストプラグを覆う位置に規制されて取り付けられた状態（第１の位置）の側面視、図５には図４中のＶ−Ｖ線矢視、図６には図４の上面視、図７には図４中の底面視、図８には非活線側導体２６の部位も含めてテストプラグを覆う位置に規制されて取り付けられた状態（第２の位置）の側面視、図９には図８中のＩＸ−ＩＸ線矢視を示してある。
【００４９】
図３に示すように、絶縁カバー５１は、例えば、アクリル製の六面体の筐体で構成され、前面５１ａにはテストプラグ２１（図１、図２参照）のプラグ側端子部２３（図１、図２参照）の先端が貫通する穴５２がプラグ側端子部２３（図１、図２参照）の数（例えば、４個）に応じて形成されている。絶縁カバー５１の後面５１ｂ（前面５１ａに対向する面）は開口とされ、後面５１ｂから絶縁カバー５１がテストプラグ２１（図１、図２参照）に装着される。
【００５０】
絶縁カバー５１の対向する側面５１ｃにはそれぞれ位置保持部材５３が設けられ、位置保持部材５３によってテストプラグ２１（図１、図２参照）に装着された際の位置が保持される。即ち、位置保持部材５３は後面５１ｂ側から切込み５４が形成されて筐体の一部が弾性変形可能な板部５３ａとされ、絶縁カバー５１がテストプラグ２１（図１、図２参照）に装着された際に支持体２２（図１、図２参照）に当接して板部５３ａを弾性変形させる突起５５が板部５３ａの内側に設けられている。突起５５が支持体２２（図１、図２参照）に当接して板部５３ａが弾性変形することにより、板部５３ａにより支持体２２（図１、図２参照）が押さえられた状態になって絶縁カバー５１の位置が保持される。
【００５１】
このため、位置保持部材５３によって絶縁カバー５１の位置が保持されると共に、絶縁カバー５１を構成する筐体の一部が位置保持部材５３の板部５３ａとなっているので、別部材を設けることなく絶縁カバー５１の位置が保持される。
【００５２】
絶縁カバー５１の底面５１ｄには、リード線等を通すためのリード線挿入部としての切欠き部５６が形成されている。また、絶縁カバー５１の上面５１ｅには４個の検電穴５７が設けられ、検電穴５７には検電用部材、例えば、テスタの検査棒が挿入されて、例えば、絶縁カバー５１を装着したままの状態で、活線側導体２７（図１、図２参照）の電圧が計測される。
【００５３】
このため、切欠き部５６によりリード線の挿入が容易となると共に、検電穴５７によってテスタの検査棒の挿入が可能になる。
【００５４】
絶縁カバー５１の上面５１ｅには第２規制部材としての第２ストッパ５８が設けられ、第２ストッパ５８はストッパ部材５９が上方に跳ね上げ自在（回動自在）に上面５１ｅに支持されている。また、絶縁カバー５１の内部の奥（前面５１ａ側）の四隅には第１規制部材としての第１ストッパ６０が固定されている。ストッパ部材５９が回動自在に支持されているので、ストッパ部材５９の規制状態及び規制状態解除の動作が容易に行える。
【００５５】
第２ストッパ５８のストッパ部材５９を跳ね上げた状態で絶縁カバー５１をテストプラグ２１に装着すると、図４乃至図７に示すように、テストプラグ２１の支持体２２が第１ストッパ６０に当接する位置まで（第１の位置まで：奥まで）挿入されて装着される。即ち、第１の位置に筐体の位置が規制される。この時、プラグ側端子部２３のナット３５から先の部分（非活線側接続部位３１）が穴５２を貫通して外部に露出した状態になる。
【００５６】
従って、非活線側接続部位３１に検査用電源３６（図１、図２参照）が接続可能になると共に、プラグ側端子部２３のナット３５から元側の部分（活線側接続部位３２）が絶縁カバー５１に覆われて絶縁状態にされる。この状態で、検電穴５７から、例えば、テスタの検査棒を挿入することで、絶縁カバー５１を装着したまま活線側接続部位３２（電源側装置４：図１、図２参照）の電圧を確認することができる。
【００５７】
一方、第２ストッパ５８のストッパ部材５９を収納した状態で絶縁カバー５１をテストプラグ２１に装着すると、図８、図９に示すように、テストプラグ２１の支持体２２がストッパ部５９に当接して挿入位置が第２の位置に規制されて装着される。この時、プラグ側端子部２３のナット３３の部位だけが穴５２を貫通して外部に露出した状態になり、非活線側接続部位３１及び活線側接続部位３２が絶縁カバー５１に覆われて絶縁状態にされる。また、位置保持部材５３によって第２の位置に挿入位置が保持される。
【００５８】
作業が長時間に及ぶ場合や一つのプラグ側端子部２３だけに対する作業を行う場合、絶縁カバー５１で非活線側接続部位３１及び活線側接続部位３２を覆い、作業者等がプラグ側端子部２３等に触れることが防止される。検査用電源３６（図１、図２参照）が接続されているプラグ側端子部２３には、図７に示すように、底面５１ｃの切欠き部５６から試験用のリード線１５を通すことができる。
【００５９】
上述したように、第２ストッパ５８による位置規制が解除されている状態で、第１ストッパ６０により絶縁カバー５１を第１の位置に規制して活線側接続部位３２だけが絶縁カバー５１に覆われる状態にし、第２ストッパ５８により絶縁カバー５１を第２の位置に規制して活線側接続部位３２及び非活線側接続部位３１が絶縁カバー５１に覆われる状態にできるので、テストプラグ２１の活線側接続部位３２は勿論のこと、必要に応じて非活線側接続部位３１も覆うことが可能なテストプラグの絶縁カバー５１とすることができる。
【００６０】
次に、本発明の他の実施形態例を説明する。尚、実施形態１と同一の部材には同一符号を付してある。
【００６１】
（実施形態２）
図１０に基づいて第１規制部材及び第２規制部材の第２の実施形態例を説明する。
【００６２】
図１０（ａ）には第１の位置に規制した状態、図１０（ｂ）には第２の位置に規制した状態を示してある。また、図１０（ｃ）（ｄ）には回動機構の状況を示してある。
【００６３】
図１０（ａ）（ｂ）に示すように、絶縁カバー５１の内部の前面５１ａ側には第１規制部材及び第２規制部材としてのストッパ６１の一端が回動自在に支持され、ストッパ６１は長辺部６１ａと短辺部６１ｂとで構成されている。図１０（ａ）に示すように、長辺部６１ａが上下方向となるようにストッパ６１を回動させることで（第１の回動位置）、テストプラグ２１の支持体２２が長辺部６１ａにより規制されて絶縁カバー５１を奥側の第１の位置に規制することができる。図１０（ｂ）に示すように、短辺部６１ｂが上下方向となるようにストッパ６１を回動させることで（第２の回動位置）、テストプラグ２１の支持体２２が短辺部６１ｂにより規制されて絶縁カバー５１を手前側の第２の位置に規制することができる。
【００６４】
このため、一つのストッパ６１により絶縁カバー５１を第１の位置と第２の位置とに規制することができ、部品点数を削減することができる。
【００６５】
図１０（ｃ）（ｄ）に示すように、ストッパ６１は常時はばね６２により第２の回動位置に付勢支持され、回動手段としてのつまみ６３を回転させることで、ばね６２の付勢力に抗してストッパ６１の角度を変えて第１の回動位置にする。
【００６６】
このため、一つのストッパ６１の回動を容易に行うことができる。
【００６７】
（実施形態３）
図１１、図１２に基づいて第１規制部材及び第２規制部材の第３の実施形態例を説明する。
【００６８】
図１１には第１規制部材で規制している状態の第１規制部材及び第２規制部材を示してあり、図１１（ａ）は側面視、図１１（ｂ）は後面視、図１１（ｃ）は上面視である。また、図１２には第２規制部材で規制している状態の第１規制部材及び第２規制部材を示してあり、図１２（ａ）は側面視、図１２（ｂ）は上面視である。
【００６９】
図１１に示すように、絶縁カバー５１の内部の前面５１ａ側には第１規制部材及び第２規制部材としての第１ストッパ６５及び第２ストッパ６６が上下に設けられ、下側の第１ストッパ６５に対して上側の第２ストッパ６６が絶縁カバー５１の挿入方向に長く形成されている。下側の第１ストッパ６５は絶縁カバー５１の内部に固定され、上側の第２ストッパ６６は絶縁カバー５１の挿入方向に対して往復移動自在とされている。図１１（ｃ）に示すように、絶縁カバー５１の前面５１ａ側には穴６７が形成され、穴６７はシャッタ６８により開閉自在とされている。シャッタ６８が開いている状態で第２ストッパ６６が絶縁カバー５１の前面５１ａから突出可能となっている。
【００７０】
つまり、シャッタ６８を開いた状態で絶縁カバー５１をテストプラグ２１に挿入することにより、支持体２２によって第２ストッパ６６が押されて絶縁カバー５１の挿入方向に移動し、支持体２２が第１ストッパ６５に規制される。従って、絶縁カバー５１は奥側の第１の位置に規制される。
【００７１】
図１２に示すように、シャッタ６８を閉じた状態では第２ストッパ６６が移動不能の状態になり、絶縁カバー５１をテストプラグ２１に挿入することにより、支持体２２が第２ストッパ６６に規制される。従って、絶縁カバー５１は手前側の第２の位置に規制される。
【００７２】
このため、第２ストッパ６６を往復移動させることで、簡単に絶縁カバー５１を第１の位置と第２の位置とに規制することができる。
【００７３】
（実施形態４）
図１３に基づいて第１規制部材及び第２規制部材の第４の実施形態例を説明する。
【００７４】
図１３（ａ）には第１の位置に規制した状態、図１３（ｂ）には第２の位置に規制した状態を示してある。
【００７５】
図１３（ａ）（ｂ）に示すように、絶縁カバー５１の内部の前面５１ａ側には第１規制部材としての第１ストッパ７１が固定され、第１ストッパ７１を挟んで前面５１ａの反対側には第２規制部材としてのピン部材７２が抜き差し自在に設けられている。ピン部材７２はひも７３によって絶縁カバー５１に取り付けられている。
【００７６】
図１３（ａ）に示すように、ピン部材７２を抜いた状態で絶縁カバー５１を挿入することにより、テストプラグ２１の支持体２２が第１ストッパ７１に規制され、絶縁カバー５１を奥側の第１の位置に規制することができる。
【００７７】
図１３（ｂ）に示すように、ピン部材７２を差し込んだ状態で絶縁カバー５１を挿入することにより、テストプラグ２１の支持体２２がピン部材７２に規制され、絶縁カバー５１を手前側の第２の位置に規制することができる。
【００７８】
このため、ピン部材７２の抜き差しによって簡単に絶縁カバー５１を第１の位置と第２の位置とに規制することができる。
【００７９】
（実施形態５）
図１４、図１５に基づいて第１規制部材及び第２規制部材の第５の実施形態例を説明する。
【００８０】
図１４（ａ）には第１の位置に規制した状態、図１４（ｂ）には第２の位置に規制した状態を示してある。また、図１５（ａ）（ｂ）（ｃ）には第２規制部材の状況変更状態を示してある。
【００８１】
図１４（ａ）（ｂ）に示すように、絶縁カバー５１の内部の前面５１ａ側には第１規制部材としての第１ストッパ７５が固定され、第１ストッパ７５を挟んで前面５１ａの反対側には第２規制部材としての第２ストッパ板７６が設けられている。第２ストッパ板７６は一辺部７６ａの中央部が絶縁カバー５１に回動自在に吊り下げられた状態に支持され、絶縁カバー５１の上下位置に応じて、自重により絶縁カバー５１の内部に突出した状態（図１４（ｂ））と、自重により絶縁カバー５１の外側に突出した状態（図１４（ａ））とにされる。
【００８２】
つまり、図１５（ａ）（ｂ）（ｃ）に示すように、自重により絶縁カバー５１の内部に第２ストッパ板７６が突出した状態から、上下が逆になるように絶縁カバー５１を回動させることにより、第２ストッパ板７６は絶縁カバー５１の外側に突出した状態になる。
【００８３】
図１４（ａ）に示すように、絶縁カバー５１の外側に第２ストッパ板７６を突出させた状態で絶縁カバー５１を挿入することにより、テストプラグ２１の支持体２２が第１ストッパ７５に規制され、絶縁カバー５１を奥側の第１の位置に規制することができる。
【００８４】
図１４（ｂ）に示すように、絶縁カバー５１の上下を逆にして、絶縁カバー５１の内部に第２ストッパ板７６を突出させた状態で絶縁カバー５１を挿入することにより、テストプラグ２１の支持体２２が第２ストッパ板７６に規制され、絶縁カバー５１を手前側の第２の位置に規制することができる。
【００８５】
このため、絶縁カバー５１の上下を逆にすることによって簡単に絶縁カバー５１を第１の位置と第２の位置とに規制することができる。
【００８６】
（実施形態６）
図１６に基づいて第１規制部材及び第２規制部材の第６の実施形態例を説明する。
【００８７】
図１６（ａ）には第１の位置に規制した状態の側面視、図１６（ｂ）には平面視、図１６（ｃ）には第２の位置に規制した状態の側面視、図１６（ｄ）には平面視を示してある。
【００８８】
図１６（ａ）（ｃ）に示すように、絶縁カバー５１の内部の前面５１ａ側には第１規制部材としての第１ストッパ７８が固定され、第１ストッパ７１を挟んで前面５１ａの反対側における絶縁カバー５１の上面には第２規制部材としての第２ストッパ部材７９が設けられている。第２ストッパ部材７９は断面Ｌ字型の長尺状に形成され、Ｌ字型を構成する一方の板部７９ａの一辺が長手方向に延びる中心軸回りで回動自在に支持されている。一方の板部７９ａを回動させることにより、Ｌ字型を構成する他方の板部７９ｂが絶縁カバー５１の内側に挿入されるようになっている。絶縁カバー５１の上面には幅方向に長い穴８０が設けられ、一方の板部７９ａの回動により他方の板部７９ｂが穴８０から絶縁カバー５１の内部に挿入される。
【００８９】
図１６（ａ）（ｂ）に示すように、絶縁カバー５１の外側に第２ストッパ部材７９を回動させた状態（引き起こした状態）で絶縁カバー５１を挿入することにより、テストプラグ２１の支持体２２が第１ストッパ７８に規制され、絶縁カバー５１を奥側の第１の位置に規制することができる。
【００９０】
図１６（ｃ）（ｄ）に示すように、第２ストッパ部材７９の一方の板部７９ａを回動させて他方の板部７９ｂを穴８０から絶縁カバー５１の内部に挿入し、この状態（他方の板部７９ｂを絶縁カバー５１の内側に位置させた状態）で絶縁カバー５１を挿入することにより、テストプラグ２１の支持体２２が第２ストッパ部材７９の他方の板部７９ｂに規制され、絶縁カバー５１を手前側の第２の位置に規制することができる。
【００９１】
このため、第２ストッパ部材７９を回動させることによって簡単に絶縁カバー５１を第１の位置と第２の位置とに規制することができる。
【００９２】
（実施形態７）
図１７に基づいて第７の実施形態例を説明する。図１７（ａ）には第１の位置に規制した状態の側面視、図１７（ｂ）には第２の位置に規制した状態の側面視を示してある。
【００９３】
第７の実施形態例は、内側筐体と外側筐体とで構成され、内側筐体である内側絶縁カバー８１を装着した状態が第１の位置の状態で、活線側接続部位３２だけが絶縁カバー５１に覆われる状態になる。活線側接続部位３２及び非活線側接続部位３１が覆われる状態にする場合、内側絶縁カバー８１の外側に外側筐体である外側絶縁カバー８２を装着する。
【００９４】
内側絶縁カバー８１は、図３に示した絶縁カバー５１に対して第２ストッパ５８が設けられていない構成となっており、その他の構成は同一である。外側絶縁カバー８２は内側絶縁カバー８１に対して一まわり大きく構成され、内側絶縁カバー８１及び非活線側接続部位３１を覆う大きさにされている。
【００９５】
このため、内側絶縁カバー８１と外側絶縁カバー８２を用いることにより、テストプラグ２１の活線側接続部位３２は勿論のこと、必要に応じて非活線側接続部位３１も覆うことが可能なテストプラグの絶縁カバーとすることができる。
【産業上の利用可能性】
【００９６】
本発明は、必要に応じてテストプラグの非活線側接続部位（または、活線側接続部位）も覆うことが可能なテストプラグ用絶縁カバーも技術分野で利用することができる。
【図面の簡単な説明】
【００９７】
【図１】テストプラグが装着される前の状態の全体構成を表す断面図である。
【図２】テストプラグが装着されている状態の全体構成を表す断面図である。
【図３】本発明の第１実施形態例に係る絶縁カバーの斜視図である。
【図４】非活線側導体２６の部位を除いてテストプラグを覆う位置に規制されて取り付けられた状態（第１の位置）の側面図である。
【図５】図４中のＶ−Ｖ線矢視図である。
【図６】図４の上面図である。
【図７】図４の底面図である。
【図８】非活線側導体２６の部位も含めてテストプラグを覆う位置に規制されて取り付けられた状態（第２の位置）の側面図である。
【図９】図８中のＩＸ−ＩＸ線矢視図である。
【図１０】本発明の第２実施形態例に係る絶縁カバーの説明図である。
【図１１】本発明の第３実施形態例に係る絶縁カバーの説明図である。
【図１２】本発明の第３実施形態例に係る絶縁カバーの説明図である。
【図１３】本発明の第４実施形態例に係る絶縁カバーの説明図である。
【図１４】本発明の第５実施形態例に係る絶縁カバーの説明図である。
【図１５】本発明の第５実施形態例に係る絶縁カバーの説明図である。
【図１６】本発明の第６実施形態例に係る絶縁カバーの説明図である。
【図１７】本発明の第７実施形態例に係る絶縁カバーの説明図である。
【符号の説明】
【００９８】
１  配電盤
２  計器
３  負荷側端子
４  電源側装置
５  電源側端子
６  負荷側導体
７  電源側導体
１０  絶縁体部材
１１  テスト端子
２１  テストプラグ
２２  支持体
２３  プラグ側端子部
２４  挿入部
２５  絶縁部
２６  非活線側導体
２７  活線側導体
３１  非活線側接続部位
３２  活線側接続部位
３３，３４，３５  ナット
３６  外部回路（検査用電源）
５１  絶縁カバー
５２  穴
５３  位置保持部材
５４  切込み
５５  突起
５６  切欠き部
５７  検電穴
５８,６６  第２ストッパ
５９  ストッパ部材
６０,６５,７５,７８  第１ストッパ
６１  ストッパ
６２  ばね
６３  つまみ
６７,８０  穴
６８  シャッタ
７１  第１ストッパ
７２  ピン部材
７６  第２ストッパ板
７９  第２ストッパ部材
８１  内側絶縁カバー
８２  外側絶縁カバー
【図１】
2006054975.tif 000003
【図２】
2006054975.tif 000004
【図３】
2006054975.tif 000005
【図４】
2006054975.tif 000006
【図５】
2006054975.tif 000007
【図６】
2006054975.tif 000008
【図７】
2006054975.tif 000009
【図８】
2006054975.tif 000010
【図９】
2006054975.tif 000011
【図１０】
2006054975.tif 000012
【図１１】
2006054975.tif 000013
【図１２】
2006054975.tif 000014
【図１３】
2006054975.tif 000015
【図１４】
2006054975.tif 000016
【図１５】
2006054975.tif 000017
【図１６】
2006054975.tif 000018
【図１７】
2006054975.tif 000019